(57)【要約】  回転コネクタ装置（１００）は、固定体（１０）と、回転体（２０）と、コネクタ（６２）と、を備える。コネクタ（６２）は、第２空間（Ｓ２）を第１空間（Ｓ１）に接続する第１開口（ＯＰ１）と、第１開口（ＯＰ１）と仕切られた開口であり且つ第２空間（Ｓ２）を第１空間（Ｓ１）に接続する第２開口（ＯＰ２）とを有する。コネクタ（６２）の第２空間（Ｓ２）内に設けられた第１電極（５８ａ）に、第１ケーブル（３０）の一端が接続される。コネクタ（６２）の第２空間（Ｓ２）内に設けられた第２電極（５８ｂ）に、第２ケーブル（４０）の一端が接続される。第１ケーブル（３０）は、第１開口（ＯＰ１）を通過して、第１ケーブル（３０）の他端は回転体（２０）に接続されるように配置される。第２ケーブル（４０）は、第２開口（ＯＰ２）を通過して、第２ケーブル（４０）の他端は回転体（２０）に接続されるように配置される。
2020080128.tif 000002
【特許請求の範囲】
【請求項１】
固定体と、
前記固定体との間に第１空間を構成するように前記固定体に対して回転軸周りに回転可能に前記固定体に組付けられた回転体と、
内部に第２空間を有し且つ前記固定体に連結されたコネクタと、を備え、
前記コネクタは、前記第２空間を前記第１空間に接続する第１開口と、前記第１開口と仕切られた開口であり且つ前記第２空間を前記第１空間に接続する第２開口とを有し、
前記コネクタの前記第２空間内に設けられた第１電極に、第１ケーブルの一端が接続され、
前記コネクタの前記第２空間内に設けられた第２電極に、第２ケーブルの一端が接続され、
前記第１ケーブルは、前記第１開口を通過して、前記第１ケーブルの他端は前記回転体に接続されるように配置され、
前記第２ケーブルは、前記第２開口を通過して、前記第２ケーブルの他端は前記回転体に接続されるように配置される
回転コネクタ装置。
【請求項２】
前記コネクタは、前記第１開口及び前記第２開口を構成するように前記第２空間を仕切り且つ前記回転軸の軸方向に延伸する仕切り壁を備える
請求項１に記載の回転コネクタ装置。
【請求項３】
前記仕切り壁は、前記第２空間において前記回転軸の周方向に沿って延伸する
請求項２に記載の回転コネクタ装置。
【請求項４】
前記回転体が前記回転軸周りに制限回転角度以上回転すると前記第１開口の第１縁で折り曲げられるように配置された前記第１ケーブルと、
前記回転体が前記回転軸周りに制限回転角度以上回転すると前記第２開口の第２縁で折り曲げられるように配置された前記第２ケーブルと、を備え、
前記回転軸の周方向における前記第１縁の位置と、前記周方向における前記第２縁の位置は異なる
請求項１〜３のいずれか１項に記載の回転コネクタ装置。
【請求項５】
前記第１ケーブルは、前記回転体が前記回転軸周りに制限回転角度以上回転すると前記第１開口の前記第１縁で折り曲げられた後に切断されるように配置されており、
前記第２ケーブルは、前記回転体が前記回転軸周りに制限回転角度以上回転すると前記第２開口の前記第２縁で折り曲げられた後に切断されるように配置される、
請求項４に記載の回転コネクタ装置。
【請求項６】
前記回転軸の軸方向における前記第１開口の長さは、前記軸方向における前記第２開口の長さより小さい
請求項１〜５のいずれか１項に記載の回転コネクタ装置。
【発明の詳細な説明】
【技術分野】
【０００１】
本願に開示される技術は、回転コネクタ装置に関する。
【背景技術】
【０００２】
固定体と回転体との間の収納空間にフラットケーブルが配置される回転コネクタ装置が知られている（例えば、特許文献１を参照）。
【先行技術文献】
【特許文献】
【０００３】
【特許文献１】特開２０１２−２０４０５７号公報
【発明の概要】
【発明が解決しようとする課題】
【０００４】
特許文献１に記載された回転コネクタ装置において複数のフラットケーブルが収納空間に配置された場合、回転コネクタ装置の過回転によって複数のフラットケーブルが切断されると、複数のフラットケーブルの短絡が生じる可能性がある。【０００５】
そこで、本願に開示される技術の課題は、過回転によってケーブルが切断されても複数のケーブルの短絡が抑制される回転コネクタ装置を提供することにある。
【課題を解決するための手段】
【０００６】
本願の第１の特徴に係る回転コネクタ装置は、固定体と、固定体との間に第１空間を構成するように固定体に対して回転軸周りに回転可能に固定体に組付けられた回転体と、内部に第２空間を有し且つ固定体に連結されたコネクタと、を備える。コネクタは、第２空間を第１空間に接続する第１開口と、第１開口と仕切られた開口であり且つ第２空間を第１空間に接続する第２開口とを有する。コネクタの第２空間内に設けられた第１電極に、第１ケーブルの一端が接続される。コネクタの第２空間内に設けられた第２電極に、第２ケーブルの一端が接続される。第１ケーブルは、第１開口を通過して、第１ケーブルの他端は回転体に接続されるように配置される。第２ケーブルは、第２開口を通過して、第２ケーブルの他端は回転体に接続されるように配置される。【０００７】
この構成によれば、第１ケーブル及び第２ケーブルは、固定体と回転体の間の第１空間へ、異なる位置から挿入される。従って、仮に、回転コネクタ装置の過回転によって、第１ケーブル及び第２ケーブルの少なくとも一方が切断されたとしても、第１開口及び第２開口の近傍で、第１ケーブル及び第２ケーブルの短絡は抑制される。
また、コネクタは、第１開口及び第２開口を構成するように第２空間を仕切り且つ回転軸の軸方向に延伸する仕切り壁を備えてもよい。【０００８】
この構成では、軸方向に直交する方向において第１開口の位置と第２開口の位置が異なる。従って、仮に第１ケーブル及び第２ケーブルの少なくとも一方が切断されたとしても、仕切り壁は、軸方向に直交する方向において、第１ケーブル及び第２ケーブルが接触することを抑制し、短絡を抑制する。【０００９】
また、仕切り壁は、第２空間において回転軸の周方向に沿って延伸してもよい。【００１０】
この構成によれば、第１ケーブルが通過する第１開口と、第２ケーブルが通過する第２開口とが、第２空間において周方向において延伸している。従って、仕切り壁は、第２空間内の第１開口及び第２開口の近傍で第１ケーブル及び第２ケーブルが接触することをより確実に抑制し、短絡を抑制する。【００１１】
また、回転コネクタ装置は、回転体が回転軸周りに制限回転角度以上回転すると、第１開口の第１縁及び第２開口の第２縁でそれぞれ切断される第１ケーブル及び第２ケーブルを備え、回転軸の周方向における第１縁の位置と、周方向における第２縁の位置は異なってもよい。【００１２】
この構成では、仮に第１ケーブル及び第２ケーブルが切断されたとしても、異なる位置で切断されるので、第１ケーブルの切断面と、第２ケーブルの切断面は、周方向において異なる位置に位置する。従って、切断面同士が短絡することが抑制される。【００１３】
回転軸の軸方向における第１開口の長さは、軸方向における第２開口の長さより小さくてもよい。【００１４】
この構成では、仮に第２ケーブルが切断されたとしても、切断された第２ケーブルが第１開口に侵入しにくくなる。
【発明の効果】
【００１５】
本願に開示される技術であれば、過回転によってケーブルが切断されても複数のケーブルの短絡が抑制された回転コネクタ装置が提供される。
【図面の簡単な説明】
【００１６】
【図１】図１は、実施形態に係る回転コネクタ装置の斜視図である。
【図２】図２は、回転コネクタ装置の下面図である。
【図３】図３は、回転体から固定体を取り外し且つ固定体を第１固定体部と第２固定体部に分解した斜視図である。
【図４】図４は、複数のケーブルの配置を示すための第１固定体部の上面図である。
【図５】図５は、複数のケーブルの構成を示す図である。
【図６】図６は、仕切り壁を示すための第２固定体部の斜視図である。
【図７】図７は、第１開口を通過する第１ケーブルと、第２開口を通過する第２ケーブルとを示すための、第２固定体部の斜視図である。
【図８】図８は、回転コネクタ装置の上面図である。
【図９】図９は、図８のＩＸ−ＩＸ断面線で回転コネクタ装置を断面した断面図である。
【図１０】図１０は、過回転状態の回転コネクタ装置における第１ケーブル及び第２ケーブルを示すための、第２固定体部の平面図である。
【発明を実施するための形態】
【００１７】
以下、実施形態について図面を参照しながら説明する。図中において同じ符号は、対応するまたは同一の構成を示している。
【００１８】
＜回転コネクタ装置の概要＞
図１は、実施形態に係る回転コネクタ装置１００の斜視図である。図２は、回転コネクタ装置１００の下面図である。図３は、回転体２０から固定体１０を取り外し且つ固定体１０を第１固定体部１２と第２固定体部１４に分解した斜視図である。図４は、複数のケーブルの配置を示すための第１固定体部１２の上面図である。なお、図４では、外周筒部１４０の内周面１４０ｂと内周筒部２１０の外周面２１０ｂとを点線で示している。
【００１９】
図１〜図３に示すように、回転コネクタ装置１００は、固定体１０と回転体２０とを備えている。回転体２０は、回転軸ＡＸ周りに固定体１０に対して回転可能に、固定体１０に組付けられている。回転体２０が固定体１０に組付けられた状態において、固定体１０と回転体２０との間には、第１空間Ｓ１（図４及び図９を参照）が規定される。
【００２０】
図４に示すように、第１ケーブル３０及び第２ケーブル４０は、それぞれ第１空間Ｓ１に配置される。第１ケーブル３０の一端３０ａ及び第２ケーブル４０の一端４０ａは、それぞれ固定体１０に接続される。第１ケーブル３０の他端３０ｂ及び第２ケーブル４０の他端４０ｂは、それぞれ回転体２０に接続される。
【００２１】
回転コネクタ装置１００は、例えば、本体と、本体に対して回転可能な操舵部とを備えた移動体（例えば自動車）に用いられる。具体的には、固定体１０は、移動体の本体に取り付けられる。回転体２０は、操舵部に取り付けられる。例えば、第１ケーブル３０の一端３０ａは、移動体の本体に設けられた電源に電気的に接続される。第１ケーブル３０の他端３０ｂは、操舵部に設けられたヒータに電気的に接続される。第１ケーブル３０を介して電源からヒータに電力が供給されると、ヒータは発熱し、操舵部を温める。
【００２２】
第２ケーブル４０の一端４０ａは、移動体の本体に設けられたコントローラ（例えばＥｎｇｉｎｅ  Ｃｏｎｔｒｏｌ  Ｕｎｉｔ）に電気的に接続される。第２ケーブル４０の他端４０ｂは、操舵部に設けられたエアバッグに電気的に接続される。コントローラには、移動体に設けられた衝突センサも接続される。コントローラは、移動体の衝突を示す信号を衝突センサから受信すると、第２ケーブル４０を介してエアバッグを開放させる信号をエアバッグへ送信する。
【００２３】
ただし、回転コネクタ装置１００は、移動体以外にも用いられてもよいし、第１ケーブル３０及び第２ケーブル４０が伝送する信号及び電力は、上述のものに限られない。また、３本以上のケーブルが固定体１０と回転体２０との間に接続されてもよい。
【００２４】
＜固定体の構成＞
図１および図３に示すように、固定体１０は、第１固定体部１２と第２固定体部１４とを備えている。第２固定体部１４は、第１固定体部１２の上に配置された状態で、第１固定体部１２と結合している。
【００２５】
図３に示すように、第１固定体部１２は、回転軸ＡＸに実質的に平行な軸方向ＡＤに回転コネクタ装置１００を見たときに、リング形状を有する。第１固定体部１２は、回転軸ＡＸが第１固定体部１２の中心を通過するように配置される。
【００２６】
第２固定体部１４は、外周筒部１４０と、内鍔部１４２とを備えている。外周筒部１４０は、外周筒部１４０の中空部１４０ａが軸方向ＡＤに延伸する筒形状を有している。外周筒部１４０は、軸方向ＡＤにおいて第１固定体部１２の外周１２ａから上方に延伸している。内鍔部１４２は、回転軸ＡＸの径方向において、外周筒部１４０の内周面１４０ｂから延伸している。
【００２７】
＜回転体の構成＞
回転体２０は、環状部材２００と、内周筒部２１０と、を備えている。環状部材２００は、回転コネクタ装置１００を軸方向ＡＤに見たときに、リング形状を有する。環状部材２００は、回転軸ＡＸが環状部材２００の中心を通過するように配置される。環状部材２００は、軸方向ＡＤにおいて下面の縁２００ａが内鍔部１４２に対向するように、配置される。内周筒部２１０は、内周筒部２１０の中空部２１０ａが軸方向ＡＤに延伸するように配置される。内周筒部２１０は、環状部材２００の内周２００ｂから軸方向ＡＤに沿って下方に延びている。内周筒部２１０は、回転軸ＡＸの径方向において、筒形状の外周筒部１４０の内側に配置される。これにより、第１ケーブル３０及び第２ケーブル４０が配置される第１空間Ｓ１は、第１固定体部１２、外周筒部１４０、環状部材２００、および内周筒部２１０によって構成されている。換言すれば、第１ケーブル３０及び第２ケーブル４０が配置される第１空間Ｓ１は、外周筒部１４０の中空部１４０ａから内周筒部２１０の中空部２１０ａを除いた空間に等しい。
【００２８】
本実施形態では、内周筒部２１０が回転体２０に設けられている。しかし、第１空間Ｓ１を規定するために、内周筒部２１０は、固定体１０に設けられてもよい。また、本実施形態では、回転コネクタ装置１００は、中空部２１０ａを有する形状であったが、回転コネクタ装置１００は、中空部２１０ａを有さなくてもよい。
【００２９】
＜ケーブルの構成＞
図５は、第１ケーブル３０及び第２ケーブル４０の構成を示す図である。第１ケーブル３０は、可撓性を有する。第１ケーブル３０は、平坦な形状を有する。第１ケーブル３０は、導線３２と、導線３２を被覆する絶縁性の被覆材３４とを有している。ただし、第１ケーブル３０の一端３０ａ及び他端３０ｂにおいて、導線３２は、被覆材３４から露出している。図４に示すように、第１ケーブル３０は、第１空間Ｓ１において外周筒部１４０の内周面１４０ｂに沿って巻回され、反転部３６で巻回方向が反転し、内周筒部２１０の外周面２１０ｂに沿って巻回されている。
【００３０】
第２ケーブル４０は、可撓性を有する。第２ケーブル４０は、平坦な形状を有する。第２ケーブル４０は、導線４２と、導線４２を被覆する絶縁性の被覆材４４とを有している。ただし、第２ケーブル４０の一端４０ａ及び他端４０ｂにおいて、導線４２は、被覆材４４から露出している。図４に示すように、第２ケーブル４０は、第１空間Ｓ１において外周筒部１４０の内周面１４０ｂに沿って巻回され、反転部４６で巻回方向が反転し、内周筒部２１０の外周面２１０ｂに沿って巻回されている。
【００３１】
図５に示すように、第１ケーブル３０の幅Ｗ１は、第２ケーブル４０の幅Ｗ２より小さい。ただし、ケーブルの幅とは、ケーブルの平坦な面に沿い且つケーブルが延びる延伸方向ＥＤと実質的に直交する幅方向ＷＤにおけるケーブルの長さである。
【００３２】
なお、図５に示す例では、２本の導線３２が第１ケーブル３０に設けられ、２本の導線４２が第２ケーブル４０に設けられたが、導線３２の本数及び導線４２の本数は、これらに限られない。
【００３３】
＜コネクタの構成＞
図１に示すように、回転コネクタ装置１００は、固定体１０側のコネクタ５０と、回転体２０側のコネクタ６０と、回転体２０側のコネクタ６２とを備える。
【００３４】
図１及び図２に示すように、コネクタ５０は、内部に第２空間Ｓ２を有し且つ固定体１０に連結している。コネクタ５０は、カバー５２と、複数の電極５８（図２を参照）と、を有する。カバー５２は、図３に示すように、第１カバー部５４と第２カバー部５６とを有する。第１カバー部５４は、図３に示すように、軸方向ＡＤにおいて第１固定体部１２の外周１２ａの一部から下方に延伸する筒形状を有している。第２カバー部５６は、回転軸ＡＸの径方向において第２固定体部１４の外周筒部１４０から外側へ延伸している。第１固定体部１２と第２固定体部１４とが結合し、第１カバー部５４と第２カバー部５６とが結合することで、第２空間Ｓ２が構成される。第２空間Ｓ２は、軸方向ＡＤにおいて下方で開放している。ただし、カバー５２の形状は、これに限らない。例えば、カバー５２は、回転軸ＡＸの径方向において外周筒部１４０から外側へ延伸し且つ回転軸ＡＸの径方向に内部空間を開放させる筒状を有してもよい。
【００３５】
図２に示すように、複数の電極５８は、第２空間Ｓ２においてカバー５２に配置されている。すなわち、複数の電極５８は、カバー５２に覆われている。なお、複数の電極５８は、それぞれ端子部を有し、端子部は、移動体の本体に設けられたコントローラに接続されたケーブルの端子と接続される。ただし、端子部は、電極５８と電気的に接続されていればよく、端子部と電極５８は別々に設けられてもよい。
【００３６】
複数の電極５８は、第１電極５８ａと、第２電極５８ｂとを含んでいる。第１電極５８ａは、第２空間Ｓ２において、第１ケーブル３０の一端３０ａで被覆材３４から露出する導線３２に接続される。第１電極５８ａと導線３２は、圧着又ははんだを介した接合によって接続される。ただし、第１電極５８ａと導線３２との接続は、他の方法で実現されてもよい。第１電極５８ａは、移動体に設けられた電源に電気的に接続される。第２電極５８ｂは、第２空間Ｓ２において、第２ケーブル４０の一端４０ａで被覆材４４から露出する導線４２に接続される。第２電極５８ｂと導線４２は、圧着又ははんだを介した接合によって接続される。ただし、第２電極５８ｂと導線４２との接続は、他の方法で実現されてもよい。第２電極５８ｂは、移動体に設けられたコントローラに電気的に接続される。
【００３７】
第１ケーブル３０は、内周筒部２１０の開口を通過し、第１ケーブル３０の他端３０ｂは、コネクタ６０に接続される。具体的には、第１ケーブル３０の他端３０ｂにおいて被覆材３４から露出する導線３２は、コネクタ６０の第３電極６０ａ（図５及び図８を参照）に接続される。第３電極６０ａは、操舵部のヒータに電気的に接続される。第２ケーブル４０は、内周筒部２１０の開口を通過し、第２ケーブル４０の他端４０ｂは、コネクタ６２に接続される。具体的には、第２ケーブル４０の他端４０ｂにおいて被覆材４４から露出する導線４２は、コネクタ６２の第４電極６２ａ（図５及び図８を参照）に接続される。第４電極６２ａは、操舵部に設けられるエアバッグに電気的に接続される。
【００３８】
ただし、コネクタ６０及びコネクタ６２は、回転体２０に接続されていればよく、本実施形態に示す形状に限らない。また、第１ケーブル３０の他端３０ｂと第２ケーブル４０の他端４０ｂとが接続されるコネクタは同一であってもよい。
【００３９】
＜ケーブルの配置＞
次に、第２空間Ｓ２から第１空間Ｓ１に亘る第１ケーブル３０及び第２ケーブル４０の配置について、図６及び図７を用いて説明する。図６は、仕切り壁７０を示すための第２固定体部１４の斜視図である。図７は、第１開口ＯＰ１を通過する第１ケーブル３０と、第２開口ＯＰ２を通過する第２ケーブル４０とを示すための、第２固定体部１４の斜視図である。
【００４０】
図６に示すように、コネクタ５０は、それぞれに第２空間Ｓ２を第１空間Ｓ１に接続する第１開口ＯＰ１及び第２開口ＯＰ２を有している。第１開口ＯＰ１及び第２開口ＯＰ２は、軸方向ＡＤにおける内鍔部１４２の下方で第１空間Ｓ１に開口している。第１開口ＯＰ１及び第２開口ＯＰ２は、仕切り壁７０によって、仕切られている。仕切り壁７０は、第２空間Ｓ２においてコネクタ５０に配置されている。仕切り壁７０は、軸方向ＡＤに沿って延伸している。
【００４１】
より具体的には、第２カバー部５６は、第１壁５６０と第２壁５６２とを備えている。第１壁５６０は、回転軸ＡＸの径方向において外周筒部１４０から外側へ延伸している。第２壁５６２は、第１壁５６０と接続し且つ軸方向ＡＤにおいて下方へ延伸している。仕切り壁７０は、軸方向ＡＤにおいて第１壁５６０の内面５６０ａから下方へ延伸している。また、仕切り壁７０は、第２空間Ｓ２において、回転軸ＡＸに直交し且つ第２空間Ｓ２から第１空間Ｓ１へ向かう方向Ｄにおいて延伸している。本実施形態では、方向Ｄは、回転軸ＡＸの周方向に沿っている。より厳密には、方向Ｄは、軸方向ＡＤに沿って回転コネクタ装置１００を見たときに、第２壁５６２と外周筒部１４０の接続位置５６２ａにおける外周筒部１４０の接線方向である。
【００４２】
コネクタ５０は、さらに仕切り壁７２を備えている。仕切り壁７２は、第２空間Ｓ２内において回転軸ＡＸに直交する方向において第１ケーブル３０と第２ケーブル４０とを遠ざけるために設けられる。仕切り壁７２は、第２空間Ｓ２においてコネクタ５０に配置されている。仕切り壁７２は、軸方向ＡＤにおいて第１壁５６０の内面５６０ａから下方へ延伸している。仕切り壁７２は、仕切り壁７０よりも第１空間Ｓ１から遠くに設けられている。換言すれば、仕切り壁７２は、仕切り壁７０よりもコネクタ５０の複数の電極５８に近くに設けられている。
【００４３】
仮に、第１ケーブル３０及び第２ケーブル４０の少なくとも一方が第１開口ＯＰ１及び第２開口ＯＰ２の近傍で切断されたとしても、仕切り壁７２は、第２空間Ｓ２において、切断されて露出した導線３２（４２）が導線４２（３２）に接触することを抑制する。
【００４４】
図７に示すように、第１ケーブル３０は、外周経路Ｒ１に沿って配置される。外周経路Ｒ１は、第１開口ＯＰ１を介して第１空間Ｓ１から第２空間Ｓ２へ至る経路を含み、第２壁５６２と仕切り壁７０との間と、第２壁５６２と仕切り壁７２との間とを通過する。第２ケーブル４０は、内周経路Ｒ２に沿って配置される。内周経路Ｒ２は、第２開口ＯＰ２を介して第１空間Ｓ１から第２空間Ｓ２へ至る経路を含み、仕切り壁７０と外周筒部１４０との間と、仕切り壁７２と外周筒部１４０との間とを通過する。内周経路Ｒ２は、回転軸ＡＸの径方向において外周経路Ｒ１より内側に設けられる。これにより、第１ケーブル３０と第２ケーブル４０とは、異なる位置（開口の位置）で第２空間Ｓ２から第１空間Ｓ１に挿入される。
【００４５】
本実施形態における仕切り壁７０は、第１ケーブル３０及び第２ケーブル４０を、互いに異なる位置で第２空間Ｓ２から第１空間Ｓ１へ挿通する挿通構造７００を実現する一例である。ただし、挿通構造７００は、他の構成によって実現されてもよい。例えば、挿通構造７００は、第１ケーブル３０と第２ケーブル４０との間に設けられる弾性部材（例えばゴム）で実現されてもよい。
【００４６】
図８は、回転コネクタ装置１００の上面図である。図９は、図８のＩＸ−ＩＸ断面線で回転コネクタ装置１００を断面した断面図である。図９に示すように、軸方向ＡＤにおける第１開口ＯＰ１の長さＬ１は、軸方向ＡＤにおける第２開口ＯＰ２の長さＬ２より小さい。具体的には、長さＬ１は、軸方向ＡＤにおいて、第１壁５６０から下方に突出した段差部５６０ｂ（図６も参照）から第１固定体部１２までの長さである。長さＬ２は、軸方向ＡＤにおいて、第１壁５６０から第１固定体部１２までの長さである。
【００４７】
長さＬ１は、第１ケーブル３０の幅Ｗ１に基づいて設定される。長さＬ２は、第２ケーブル４０の幅Ｗ２に基づいて設定される。例えば、長さＬ１は、長さＬ２の１０％から９０％の範囲である。しかし、長さＬ１と長さＬ２は、実質的に同じであってもよい。また、本実施形態では、長さＬ１は、第２ケーブル４０の幅Ｗ２より小さい。これにより、仮に、大きい第２開口ＯＰ２を通過する第２ケーブル４０が切断されたとしても、切断された第２ケーブル４０が、小さい第１開口ＯＰ１に進入しにくくなる。ただし、長さＬ１は、第２ケーブル４０の幅Ｗ２と実質的に同じでもよいし、第２ケーブル４０の幅Ｗ２より大きくてもよい。
【００４８】
図１０は、過回転状態の回転コネクタ装置１００における第１ケーブル３０及び第２ケーブル４０を示すための、第２固定体部１４の平面図である。
【００４９】
上述のとおり、第１ケーブル３０及び第２ケーブル４０が固定体１０と回転体２０との間に接続された状態で、回転体２０は固定体１０に対して回転軸ＡＸ周りに回転する。回転体２０が固定体１０に対して制限回転角度（例えば７２０°）以上で回転すると、回転コネクタ装置１００が過回転状態となる。回転コネクタ装置１００の過回転状態では、第１ケーブル３０及び第２ケーブル４０が過度な引っ張り荷重で引っ張られて切断されることがある。
【００５０】
例えば、回転体２０が固定体１０に対して、図１０の紙面上で時計回りに制限回転角度以上回転すると、第１ケーブル３０は、第１開口ＯＰ１の第１縁Ｅ１で折り曲げられる。一方、第２ケーブル４０は、第２開口ＯＰ２の第２縁Ｅ２で折り曲げられる。ただし、第１縁Ｅ１は、仕切り壁７０が延伸する方向Ｄにおける仕切り壁７０の端部７０ａ（図６も参照）で構成される。第２縁Ｅ２は、回転軸ＡＸの周方向における外周筒部１４０の端部１４０ｃ（図６も参照）で構成される。
【００５１】
図１０に示す状態において、回転体２０が固定体１０に対して図１０の紙面上で時計回りにさらに回転すると、第１ケーブル３０が第１縁Ｅ１で切断されることがある。同様に、第２ケーブル４０が第２縁Ｅ２で切断されることがある。すなわち、第１ケーブル３０及び第２ケーブル４０は、第１開口ＯＰ１及び第２開口ＯＰ２の近傍の異なる位置において切断されることがある。
【００５２】
また、回転体２０が固定体１０に対して、図１０の紙面上で反時計回りに制限回転角度以上回転しても、第１ケーブル３０及び第２ケーブル４０は、仕切り壁７０によって、第１開口ＯＰ１及び第２開口ＯＰ２の近傍の異なる位置で切断されることがある。
【００５３】
＜実施形態の構成と作用効果のまとめ＞
コネクタ５０は、第２空間Ｓ２を第１空間Ｓ１に接続する第１開口ＯＰ１と、第１開口ＯＰ１と仕切られた開口であり且つ第２空間Ｓ２を第１空間Ｓ１に接続する第２開口ＯＰ２とを有する。第１ケーブル３０は、第１開口ＯＰ１を通過して、第１ケーブル３０の他端３０ｂは回転体２０に接続されるように配置される。第２ケーブル４０は、第２開口ＯＰ２を通過して、第２ケーブル４０の他端４０ｂは回転体２０に接続されるように配置される。
【００５４】
この構成によれば、第１ケーブル３０及び第２ケーブル４０は、固定体１０と回転体２０の間の第１空間Ｓ１へ、異なる位置から挿入される。従って、仮に、回転コネクタ装置１００の過回転によって、第１ケーブル３０が第１開口ＯＰ１の縁（例えば第１縁Ｅ１）で切断されても、第２開口ＯＰ２の近傍で、被覆材３４から露出する導線３２が第２ケーブル４０の導線４２と短絡することが抑制される。同様に、仮に第２ケーブル４０が第２開口ＯＰ２の縁（例えば第２縁Ｅ２）で切断されても、第１開口ＯＰ１近傍で、被覆材４４から露出する導線４２が第１ケーブル３０の導線３２と短絡することが抑制される。また、第１ケーブル３０及び第２ケーブル４０の両方が切断されたとしても、切断によって露出する導線３２及び導線４２が互いに接触することが抑制される。従って、導線３２と導線４２の短絡によって、例えばエアバッグが意図せずに開放することが抑制される。
また、コネクタ５０は、第１開口ＯＰ１及び第２開口ＯＰ２を構成するように第２空間Ｓ２を仕切り且つ回転軸ＡＸの軸方向ＡＤに延伸する仕切り壁７０を備えている。
【００５５】
この構成では、軸方向ＡＤに直交する方向において第１開口ＯＰ１の位置と第２開口ＯＰ２の位置が異なる。従って、仮に第１ケーブル３０及び第２ケーブル４０の少なくとも一方が切断されたとしても、仕切り壁７０は、軸方向ＡＤに直交する方向において第１ケーブル３０及び第２ケーブル４０が接触することを抑制し、短絡を抑制する。ただし、第１開口ＯＰ１及び第２開口ＯＰ２は、軸方向ＡＤにおいて上下に仕切られてもよい。すなわち、仕切り壁７０は、回転軸ＡＸと直交する方向に延伸する形状であってもよい。
【００５６】
また、仕切り壁７０は、第２空間Ｓ２において回転軸ＡＸの周方向に沿って延伸している。
【００５７】
この構成によれば、第１ケーブル３０が通過する第１開口ＯＰ１と、第２ケーブル４０が通過する第２開口ＯＰ２とが、第２空間Ｓ２において周方向において延伸している。従って、仕切り壁７０は、第２空間Ｓ２内の第１開口ＯＰ１及び第２開口ＯＰ２の近傍で第１ケーブル３０及び第２ケーブル４０が接触することをより確実に抑制し、短絡を抑制する。
【００５８】
また、回転コネクタ装置１００は、回転体２０が回転軸ＡＸ周りに制限回転角度以上回転すると、第１開口ＯＰ１の第１縁Ｅ１及び第２開口ＯＰ２の第２縁Ｅ２でそれぞれ切断される第１ケーブル３０及び第２ケーブル４０を備える。回転軸ＡＸの周方向における第１縁Ｅ１の位置と、回転軸ＡＸの周方向における第２縁Ｅ２の位置は異なっている。
【００５９】
この構成では、仮に第１ケーブル３０及び第２ケーブル４０が切断されたとしても、互いに異なる位置で切断されるので、第１ケーブル３０の切断面と、第２ケーブル４０の切断面は、回転軸ＡＸの周方向において異なる位置に位置する。従って、切断面同士が短絡することが抑制される。
【００６０】
回転軸ＡＸの軸方向ＡＤにおける第１開口ＯＰ１の長さＬ１は、軸方向ＡＤにおける第２開口ＯＰ２の長さＬ２より小さい。
【００６１】
これにより、仮に第２ケーブル４０が切断され、被覆材４４から導線４２が露出したとしても、露出した導線４２が第１開口ＯＰ１に侵入しにくくなる。
【００６２】
なお、本願においては、「備えている」およびその派生語は、構成要素の存在を説明する非制限用語であり、記載されていない他の構成要素の存在を排除しない。これは、「有している」、「含んでいる」およびそれらの派生語にも適用される。
【００６３】
本願において、「第１」や「第２」などの序数は、単に構成を識別するための用語であって、他の意味（例えば特定の順序など）は有していない。例えば、「第１要素」があるからといって「第２要素」が存在していることを暗に意味しているわけではなく、また「第２要素」があるからといって「第１要素」が存在していることを暗に意味しているわけではない。
【００６４】
また、本開示における「平行」「直交」および「一致」の表現は、厳密に解釈されるべきではなく、「実質的な平行」「実質的な直交」および「実質的な一致」の意味をそれぞれ含む。また、その他の配置に関する表現も、厳密に解釈されるものではない。
【００６５】
また、本開示における「Ａ及びＢの少なくとも一方」の表現は、次の３つの場合のいずれも含むものとする。（ｉ）Ａだけを含む、（ｉｉ）Ｂだけを含む、（ｉｉｉ）Ａ及びＢの両方を含む。
【００６６】
上記の開示内容から考えて、本発明の種々の変更や修正が可能であることは明らかである。したがって、本発明の趣旨を逸脱しない範囲で、本願の具体的な開示内容とは別の方法で本発明が実施されてもよい。
【符号の説明】
【００６７】
１００                      ：回転コネクタ装置
１０                        ：固定体
２０                        ：回転体
３０                        ：第１ケーブル
４０                        ：第２ケーブル
５０                        ：コネクタ
５８ａ                      ：第１電極
５８ｂ                      ：第２電極
７００                      ：挿通構造
７０                        ：仕切り壁
Ｓ１                        ：第１空間
Ｓ２                        ：第２空間
ＯＰ１                      ：第１開口
ＯＰ２                      ：第２開口
【図１】
2020080128.tif 000003
【図２】
2020080128.tif 000004
【図３】
2020080128.tif 000005
【図４】
2020080128.tif 000006
【図５】
2020080128.tif 000007
【図６】
2020080128.tif 000008
【図７】
2020080128.tif 000009
【図８】
2020080128.tif 000010
【図９】
2020080128.tif 000011
【図１０】
2020080128.tif 000012
【国際調査報告】
2020080128.tif 000013
2020080128.tif 000014
2020080128.tif 000015
2020080128.tif 000016